(57)【要約】      （修正有）【課題】包理カセット収納ケースを連設して設置する際の包理カセットケース同士を固定し、不用意なケースの崩れや転倒等を防止することのできる包理カセット収納ケース及び包理カセット収納ケースの固定具を提供する。【解決手段】最下段の収納ケース１ｃの背面に設置した上下２個所の面ファスナーの内上部の面ファスナー２ｅと、中段に位置する収納ケース１ｂの背面に設置した上下２個所の面ファスナーの内下部の面ファスナー２ｄとを連設用の面ファスナー３ｂを用いて係止する。更に中段の収納ケース１ｂの背面に設置した上下２個所の面ファスナーの内上部の面ファスナー２ｃと、最上段に位置する収納ケース１ａの背面に設置した上下２個所の面ファスナーの内下部の面ファスナー２ｂとを連設用の面ファスナー３ａを用いて係止する。【選択図】図２
0003172978.tif 000002
【実用新案登録請求の範囲】
【請求項１】
包理カセットを収納するための包理カセット収納ケース同士を固定するための着脱自在の固定具であって、
包理カセット収納ケース１の背面に面ファスナー２を有すると共に、該面ファスナー２に着脱自在に係止することのできる連設用の面ファスナー３とからなり、
一の包理カセット収納ケース１の面ファスナー２と、他の包理カセット収納ケース１の面ファスナーの面ファスナー２とを連設用の面ファスナー３を用いて係止するものであることを特徴とする包理カセット収納ケースの固定具。
【請求項２】
一の包理カセット収納ケース１に設けた面ファスナー２を該ケースの背面に少なくとも２か所有するものであって、
少なくとも二方向に設置した他の２つの包理カセット収納ケース１の面ファスナー２を連設用の面ファスナー３により係止するものであることを特徴とする請求項１記載の包理カセット収納ケースの固定具。
【請求項３】
二方向に設置した他の２つの包理カセット収納ケース１の面ファスナー２を該ケースの背面の中央部の上部と下部にそれぞれ設けたものであることを特徴とする請求項２記載の包理カセット収納ケースの固定具。
【請求項４】
包理カセットを収納するための包理カセット収納ケース同士を固定するための着脱自在の固定具を有する包理カセット収納ケースであって、
該固定具は、包理カセット収納ケース１の背面に面ファスナー２と、該面ファスナー２に着脱自在に係止することのできる連設用の面ファスナー３とからなり、
一の包理カセット収納ケース１の面ファスナー２と、他の包理カセット収納ケース１の面ファスナー２とを連設用の面ファスナー３を用いて係止することによってケース同士を固定できることを特徴とする包理カセット収納ケース。
【請求項５】
固定具が包理カセット収納ケース１の背面に少なくとも２か所の面ファスナー２を設けたことを特徴とする請求項４記載の包理カセット収納ケース。
【請求項６】
固定具が包理カセット収納ケース１の背面の中央部の上部と下部にそれぞれ設けたものであることを特徴とする請求項２記載の包理カセット収納ケース。
【考案の詳細な説明】
【技術分野】
【０００１】
本考案は、包理カセット収納ケースを連設して設置する際の包理カセットケース同士を固定し、不用意なケースの転倒等を防止することのできる包理カセット収納ケース及び包理カセット収納ケースの固定具に関する。
【背景技術】
【０００２】
包理カセットは生体組織等の検体を保存するためのパラフィンブロックを収納、固定し保存等するためのカセットであり、このカセットは、検査等のために多数保存することが必要であってこのための包理カセットを収納しておくためのケース自体は通常引き出しを有する一般的なケースが用いられている。
【０００３】
例えば特開２００１−２９６２２０号に示す構成や特開２００７−２９２５８０号に示す構成のカセットが用いられているものである。
この場合、特に検査等の必要に応じて顕微鏡標本等の作成のため、このパラフィンブロックをスライス等して使用するものであって、必要に応じて取り出しやすくかつ保存しやすいケースが用いられている。
【０００４】
従って、このようなケースを机や台の上或いは収納庫などに設置して、包理カセットの保存を行っている。
しかし、例えばこの包理カセット収納ケースは、包理カセットが増えるに従いそのケースも増設することが必要となり、一の包理カセット収納ケースの上に新たな包理カセット収納ケースを乗せて使用する場合や横に並べて収納する場合が極めて多い。
【先行技術文献】
【特許文献】
【０００５】
【特許文献１】特開２００１−２９６２２０号
【特許文献２】特開２００７−２９２５８０号
【考案の概要】
【考案が解決しようとする課題】
【０００６】
以上の様に、パラフィンブロックを収納するための包理カセットを収納するケースを検体の増加に伴い、ケースを増設すると安定性が悪く、例えば地震等により多数設置したケースが崩れてしまう場合がある。
特に大震災等に際してはケースが崩れ多数の包理カセットが投げ出されてしまうこともあった。
【０００７】
このような場合に整理し直すことは極めて大変であり極力なくすことが必要である。
この場合、例えばケース自体を作り付けにして崩れることを防止する方法や巨大なケースを予め造りつけておくこと等も考えられるが、徐々に増加する包理カセットの適正なる収納に対してはコスト高となるばかりでなく不要な巨大な施設が必要となる等実用性がない。
【０００８】
そこで、極めて安価かつ簡単に用いることのできるケース増設に際してのケースの崩れを防止するための包理カセット収納ケースの固定具の提供が望まれるものである。
【課題を解決するための手段】
【０００９】
以上のように係る課題を見事に解決するため、包理カセット収納ケースを増設設置した場合においても極めて簡単かつ安価な装置によって固定でき、不用意な崩れやケースの転倒を防止できる包理カセット収納ケースの固定具を提供するものであり、係るために請求項１に係る考案は、包理カセットを収納するための包理カセット収納ケース同士を固定するための着脱自在の固定具であって、包理カセット収納ケースの背面に面ファスナーを有すると共に、該面ファスナーに着脱自在に係止することのできる連設用の面ファスナーとからなり、一の包理カセット収納ケースの面ファスナーと、他の包理カセット収納ケースの面ファスナーの面ファスナーとを連設用の面ファスナーを用いて係止する包理カセット収納ケースの固定具であって、係る考案によって前記課題を解決できる。
【００１０】
或いは請求項２に係る考案のように一の包理カセット収納ケースに設けた面ファスナーを該ケースの背面に少なくとも２か所有するものであって、少なくとも二方向に設置した他の２つの包理カセット収納ケースの面ファスナーとそれぞれ連設用の面ファスナーにより係止する包理カセット収納ケースの固定具を用いてもよい。
この場合、請求項３に係る考案のように二方向に設置した他の２つの包理カセット収納ケースの面ファスナーが該ケースの背面の中央部の上部と下部にそれぞれ設けた包理カセット収納ケースの固定具を用いてもよい。
【００１１】
更に、請求項４に係る考案のように、包理カセットを収納するための包理カセット収納ケース同士を固定するための着脱自在の固定具を有する包理カセット収納ケースであって、該固定具は、包理カセット収納ケースの背面に面ファスナーと、該面ファスナーに着脱自在に係止することのできる連設用の面ファスナーとからなり、一の包理カセット収納ケースの面ファスナーと、他の包理カセット収納ケースの面ファスナーとを連設用の面ファスナーを用いて係止することによってケース同士を固定できる包理カセット収納ケースを用いてもよいものである。
【００１２】
この場合、請求項５に係る考案のように固定具が包理カセット収納ケースの背面に少なくとも２か所面ファスナーを設けた包理カセット収納ケースを用いても、或いは請求項６に係る考案のように固定具が包理カセット収納ケースの背面の中央部の上部と下部にそれぞれ設けた包理カセット収納ケースを用いてもよい。
【考案の効果】
【００１３】
以上のように構成したことからまず請求項１及び４記載の考案により、面ファスナー同士によって収納ケース同士を着脱自在に係止固定できるものである。
従って横並びや縦に重ねて収納ケースを設置した場合でも、相隣り合うケース同士を連設用の面ファスナーできっちりと固定することができる。
従って、複数以上ケースを使用するに際して、これらのケースが不用意に崩れるようなことがなくケースをしっかりと設置しておくことができる。
【００１４】
又、多数のケースでもそれぞれ同様に連設用の面ファスナーで連接固定することによりしっかりとした設置を可能とする。
例えば地震等の不意な災害等に際して、多数のケースを重ねて設置している場合においても各ケースを本考案に係る固定具で係止固定しておくことにより崩れることがなくなる。
次に請求項２及び５に係る考案によれば少なくともケース背面に２か所の面ファスナーを有するものであり、少なくとも２方向のケース同士を連接固定できることとなる。
【００１５】
従って縦方向に多数重ねた場合であっても相隣り合う上下それぞれの方向に対して連設固定ができると共にこの他上下方向と左右方向等他方面との連設固定を可能とする。
更に請求項３及び６に係る考案によって、特に上下方向に多数段重ねた設置に対しても、それぞれ上下方向に接するケース同士を連設固定できる。
以上のように多数のケースを重ね或いは併設して設置した場合であっても、少なくとも隣り合うケース同士を面ファスナーによって着脱自在に連設固定でき、しっかりとした設置を可能とする。
【００１６】
特に包理カセットは、どうしてもある程度大量のカセットをきっちりと保存管理しておくことが必要であり、包理カセットが更に徐々に増えた場合でも、新たに設置するケースを既設置のケースに重ね或いは横並びに設置することができ、この場合であってもしっかりとした安全な設置ができ、不用意に崩れてしまう等のことを防止できる。
【図面の簡単な説明】
【００１７】
【図１】本考案に係る包理カセットケースの固定具の一例を示す図
【図２】本考案に係る包理カセットケースを縦方向に３つ積み重ねた状態において固定具で係止固定した一例を示す図
【図３】本考案に係る包理カセットケースを縦方向及び横方向に計４つ設置した状態において固定具で係止固定した他の一例を示す図
【図４】本考案に係る包理カセットケースを縦方向に計４つ積み重ねた状態において固定具で係止固定した他の一例を示す図
【図５】包理カセットケースの面ファスナーと連設用の面ファスナーとか゛固着係止している状態の一例を示す図
【図６】本考案に係る包理カセットケースの一例を示す図
【考案を実施するための形態】
【００１８】
図１は、本考案に係る包理カセット収納ケース１の固定具２を収納ケースに用いた一例を示す図であり、ケース１の背面に固定具２を有する一例を示す図である。
本図に示すようにケース１は、２段の引き出し式になっており、破線で示す引き出し部を有しており、該引き出し部の中に包理カセットを収納するための収納部を有する。
【００１９】
この場合固定具２は、ケースの１背面でケースの上部と下部に其々面ファスナーを有しているものである。
本図に示す固定具２である面ファスナーの設置位置は２か所あり、上部と下部の２か所に有している。
【００２０】
図２は、本考案に係る固定具２を有する包理カセット収納ケース１を上下方向に３つ重ねて設置した状態の一例を示す図である。
最下段の収納ケース１ｃの背面に設置した上下２個所の面ファスナー２の内上部の面ファスナー２ｅと、中段に位置する収納ケース１ｂの背面に設置した上下２個所の面ファスナー２の内下部の面ファスナー２ｄとを連設用の面ファスナー３ｂを用いて係止しているものである。
【００２１】
更に中段の収納ケース１ｂの背面に設置した上下２個所の面ファスナー２の内上部の面ファスナー２ｃと、最上段に位置する収納ケース１ａの背面に設置した上下２個所の面ファスナー２の内下部の面ファスナー２ｂとを連設用の面ファスナー３ａを用いて係止しているものである。
【００２２】
この様に上下二個所に設置した収納ケースの面ファスナーの内、一の面ファスナー２と、この収納ケースに接する他の収納ケースの面ファスナー２の内、一の面ファスナー２とを連設用の面ファスナー３で係止することによって、ケース同士を固定することができるものであり、係る構成の固定具を用いることによりケース同士をきっちりと固定して積み重ねた収納ケースの崩れや転倒を防止できるものである。
【００２３】
尚、本図の収納ケースの面ファスナーは２か所設けているが、これ以外に一か所のものでも、或いは２か所以上の個所に面ファスナーを有するものであってもいずれでもよい。
又、その設置位置に関しても本図は一例であり他の背面個所に設置するものでもよい。
図３は、本考案に係る包理カセット収納ケースの固定具を有する収納ケース１を多数設置して連設用の面ファスナー２で連接係止して収納ケースの崩れを防止している他の一例を示す図である。
【００２４】
本図構成は、包理カセット収納ケースの固定具を有する収納ケース１を上下及び左右に２段ずつ連設して設置した一例を示す図であり、右側上段の収納ケース１ｅの背面に設置した上下２個所の面ファスナー２の内下部の面ファスナー２ｊと、右側下段に位置する収納ケース１ｇの背面に設置した上下２個所の面ファスナー2  の内上部の面ファスナー２ｍとを連設用の面ファスナー３ｄを用いて係止しているものである。
【００２５】
更に左側上段の収納ケース１ｄの背面に設置した上下２個所の面ファスナー２の内下部の面ファスナー２ｈと、左側下段に位置する収納ケース１ｆの背面に設置した上下２個所の面ファスナー２の内上部の面ファスナー２ｋとを連設用の面ファスナー３ｃを用いて係止しているものである。
【００２６】
更に右側下段の収納ケース１ｇの背面に設置した上下２個所の面ファスナー２の内下部の面ファスナー２ｎと、左側下段に位置する収納ケース１の背面に設置した上下２個所の面ファスナー２の内下部の面ファスナー２ｌとを連設用の面ファスナー３ｅを用いて係止しているものである。
この様に構成することによっての連設設置した収納ケース１をきっちりと固定し、ケースの崩れなどを防止できる。
【００２７】
図４は、本考案に係る包理カセット収納ケースの固定具を有する収納ケースを多数設置して連設用の面ファスナーで連接係止して収納ケースの崩れを防止している他の一例を示す図である。
本図構成においては上下方向に４段の収納ケース１を積み重ねて設置した一例を示す図であり、収納ケース背面に設置した面ファスナー２の内最下段の収納ケース１の背面に設置した上下２個所の面ファスナー２の内上部の面ファスナー２と、最上段に位置する収納ケース１の収納ケース1の背面に設置した上下２個所の面ファスナー２の内下部の面ファスナー２とを長尺形状の連設用の面ファスナー３を用いて係止しているものである。
【００２８】
従って、中央部分に位置している下から２段目の収納ケース１と上から二段目の収納ケース１の背面に設置している４つの面ファスナー２は、この長尺の連設用面ファスナー３によって、それぞれ固定係止されているものとなる。
この様に構成しても設置した収納ケース１はいずれもきっちりと固定設置されるものとなる。
【００２９】
図５は、上下２段に積み重ねた収納ケース１の相近似する面ファスナー２同士を連設用面ファスナー３で固定係止している一例の断面図を示す。
本図に示すように面ファスナー同士によって着脱自在に接触状態できっちりと係止できるものとなると共に、必要に応じて簡単に外すこともできる。
【００３０】
図６は、本考案に係る包理カセット収納ケース１の固定具を有する収納ケースの一例の正面部分を示す図であり、該ケースの正面には引き出し部１１が２段設置されているものであり、図示しないが、この引き出し内には包理カセットを収納できる収納部を有する。
【符号の説明】
【００３１】
１    ケース
１１  引き出し部
２    面ファスナー
３    連設用面ファスナー
【図１】
0003172978.tif 000003
【図２】
0003172978.tif 000004
【図３】
0003172978.tif 000005
【図４】
0003172978.tif 000006
【図５】
0003172978.tif 000007
【図６】
0003172978.tif 000008
【手続補正書】
【提出日】平成23年11月2日(2011.11.2)
【手続補正１】
【補正対象書類名】実用新案登録請求の範囲
【補正対象項目名】請求項６
【補正方法】変更
【補正の内容】
【請求項６】
固定具が包理カセット収納ケース１の背面の中央部の上部と下部にそれぞれ設けたものであることを特徴とする請求項５記載の包理カセット収納ケース。